(57)【要約】      （修正有）【課題】一定の広告効果を維持しながら、広告を表示することによるユーザの不快感を軽減する、電子機器及び広告表示方法並びに広告表示プログラムを提供する。【解決手段】情報処理装置１０は、共通の表示枠１７ａに、広告コンテンツと広告以外の複数のコンテンツとを切り替えて表示させる表示切替部２３と、広告コンテンツに対するユーザの興味度を演算する興味度演算部２４と、興味度演算部２４によって演算された興味度に応じて広告コンテンツの表示に関する表示パラメータを設定する表示パラメータ設定部２５とを備える。表示切替部２３は、表示パラメータ設定部２５によって設定された表示パラメータに応じて広告コンテンツを表示させる頻度または広告コンテンツの表示時間を変更する。【選択図】図３
2019040565.tif 000002
【特許請求の範囲】
【請求項１】
共通の表示枠に、広告コンテンツと広告以外の複数のコンテンツとを切り替えて表示させる表示切替部と、
前記広告コンテンツに対するユーザの興味度を演算する興味度演算部と、
前記興味度演算部によって演算された興味度に応じて前記広告コンテンツの表示に関する表示パラメータを設定する表示パラメータ設定部と
を備え、
前記表示切替部は、前記表示パラメータ設定部によって設定された前記表示パラメータに応じて前記広告コンテンツを表示させる頻度または前記広告コンテンツの表示時間を変更する電子機器。
【請求項２】
前記表示パラメータは、前記広告を表示させてから次に前記広告を表示させるまでに表示させる前記広告以外のコンテンツの数であり、
前記表示パラメータ設定部は、前記興味度が低いほど前記コンテンツの数を大きな値に設定する請求項１に記載の電子機器。
【請求項３】
前記共通の表示枠に異なる複数の前記広告コンテンツを切り替えて表示させる場合において、前記興味度演算部は、前記広告コンテンツ毎に前記興味度を演算し、
前記表示パラメータ設定部は、前記広告コンテンツ毎に前記表示パラメータを設定し、
前記表示切替部は、複数の前記広告コンテンツの中から次に表示する前記広告コンテンツを対象広告として順次選択し、前記対象広告の直前に表示された前記広告コンテンツから前記表示パラメータに応じた数の前記広告以外のコンテンツが表示されたときに、前記共通の表示枠に前記対象広告を表示させる請求項２に記載の電子機器。
【請求項４】
前記共通の表示枠に異なる複数の前記広告コンテンツを切り替えて表示させる場合において、前記興味度演算部は、前記広告コンテンツが属するカテゴリ毎に前記興味度を演算し、
前記表示パラメータ設定部は、前記広告コンテンツのカテゴリ毎に前記表示パラメータを設定し、
前記表示切替部は、複数の前記広告コンテンツの中から次に表示する前記広告コンテンツを対象広告として順次選択し、前記対象広告の直前に表示された前記広告コンテンツから前記対象広告が属するカテゴリの前記表示パラメータに応じた数の前記広告以外のコンテンツが表示されたときに、前記共通の表示枠に前記対象広告を表示させる請求項２に記載の電子機器。
【請求項５】
前記表示パラメータは、前記広告を表示させる表示時間であり、
前記表示パラメータ設定部は、前記興味度が低いほど前記表示時間を短く設定する請求項１に記載の電子機器。
【請求項６】
前記共通の表示枠に異なる複数の前記広告コンテンツを切り替えて表示させる場合において、前記興味度演算部は、前記広告コンテンツ毎に前記興味度を演算し、
前記表示パラメータ設定部は、前記広告コンテンツ毎に前記表示時間を設定し、
前記表示切替部は、複数の前記広告コンテンツの中から次に表示する前記広告コンテンツを対象広告として順次選択し、各前記対象広告の前記興味度に応じた前記表示時間に従って前記対象広告を前記共通の表示枠に表示させる請求項５に記載の電子機器。
【請求項７】
前記共通の表示枠に異なる複数の前記広告コンテンツを切り替えて表示させる場合において、前記興味度演算部は、前記広告コンテンツが属するカテゴリ毎に前記興味度を演算し、
前記表示パラメータ設定部は、前記広告コンテンツのカテゴリ毎に前記表示時間を設定し、
前記表示切替部は、複数の前記広告コンテンツの中から次に表示する前記広告コンテンツを対象広告として順次選択し、各前記対象広告が属する前記カテゴリの興味度に応じた前記表示時間に従って前記対象広告を前記共通の表示枠に表示させる請求項５に記載の電子機器。
【請求項８】
前記表示パラメータは、前記広告以外のコンテンツの表示時間の合計に対する前記広告の表示時間の割合を示す値であり、
前記表示パラメータ設定部は、前記興味度が低いほど前記割合を小さな値に設定する請求項１に記載の電子機器。
【請求項９】
共通の表示枠に、広告コンテンツと広告以外の複数のコンテンツとを切り替えて表示させる工程と、
前記広告コンテンツに対するユーザの興味度を演算する工程と、
演算した前記興味度に応じて前記広告コンテンツの表示に関する表示パラメータを設定する工程と
を有し、
前記表示パラメータに応じて前記広告コンテンツを表示させる頻度または前記広告コンテンツの表示時間を変更する広告表示方法。
【請求項１０】
共通の表示枠に、広告コンテンツと広告以外の複数のコンテンツとを切り替えて表示させる処理と、
前記広告コンテンツに対するユーザの興味度を演算する処理と、
演算した前記興味度に応じて前記広告コンテンツの表示に関する表示パラメータを設定する処理と
をコンピュータに実行させるための広告表示プログラムであって、
前記表示パラメータに応じて前記広告コンテンツを表示させる頻度または前記広告コンテンツの表示時間を変更する広告表示プログラム。
【発明の詳細な説明】
【技術分野】
【０００１】
本発明は、電子機器及び広告表示方法並びに広告表示プログラムに関するものである。
【背景技術】
【０００２】
インターネットの急速な発展に伴い、インターネットを介した広告付与が盛んに行われている。広告付与としては、ウェブページの所定の位置に企業、商品等を表示する画像、またはキャッチコピー等の広告情報を表示し、このような広告情報がクリックされた場合に広告主のウェブページへ遷移するものがある（例えば、特許文献１参照）。
【０００３】
近年、ノートＰＣやタブレット端末等の情報処理装置が備える表示画面の一部または全面に、天気、カレンダー、最新のニュースなどを自動的に順次切り替えて表示させるアプリケーションが提案されている。そして、このようなアプリケーションにおいて、天気、カレンダー、ニュースなどのコンテンツの切り替えの合間に、広告情報を定期的に表示させる試みがなされている。
【先行技術文献】
【特許文献】
【０００４】
【特許文献１】特開２０１５−２２５６１号公報
【発明の概要】
【発明が解決しようとする課題】
【０００５】
複数のコンテンツを自動的に切り替えて表示させるようなアプリケーションにおいて、コンテンツとコンテンツとの間に定期的に広告を表示させる場合、広告の表示頻度が重要となる。例えば、あまりにも高い頻度で広告を表示させると、ユーザに煩わしさを感じさせることとなり、不快感を与えかねない。その一方で、広告を表示させる頻度を下げすぎると広告効果が低下してしまう。
【０００６】
本発明は、このような事情に鑑みてなされたものであって、一定の広告効果を維持しながら、広告を表示することによるユーザの不快感を軽減することのできる電子機器及び広告表示方法並びに広告表示プログラムを提供することを目的とする。
【課題を解決するための手段】
【０００７】
本発明の第１態様は、共通の表示枠に、広告コンテンツと広告以外の複数のコンテンツとを切り替えて表示させる表示切替部と、前記広告コンテンツに対するユーザの興味度を演算する興味度演算部と、前記興味度演算部によって演算された興味度に応じて前記広告コンテンツの表示に関する表示パラメータを設定する表示パラメータ設定部とを備え、前記表示切替部は、前記表示パラメータ設定部によって設定された前記表示パラメータに応じて前記広告コンテンツを表示させる頻度または前記広告コンテンツの表示時間を変更する電子機器である。
【０００８】
本発明の第２態様は、共通の表示枠に、広告コンテンツと広告以外の複数のコンテンツとを切り替えて表示させる工程と、前記広告コンテンツに対するユーザの興味度を演算する工程と、演算した前記興味度に応じて前記広告コンテンツの表示に関する表示パラメータを設定する工程とを有し、前記表示パラメータに応じて前記広告コンテンツを表示させる頻度または前記広告コンテンツの表示時間を変更する広告表示方法である。
【０００９】
本発明の第３態様は、共通の表示枠に、広告コンテンツと広告以外の複数のコンテンツとを切り替えて表示させる処理と、前記広告コンテンツに対するユーザの興味度を演算する処理と、演算した前記興味度に応じて前記広告コンテンツの表示に関する表示パラメータを設定する処理とをコンピュータに実行させるための広告表示プログラムであって、前記表示パラメータに応じて前記広告コンテンツを表示させる頻度または前記広告コンテンツの表示時間を変更する広告表示プログラムである。
【発明の効果】
【００１０】
本発明によれば、一定の広告効果を維持しながら、広告を表示することによるユーザの不快感を軽減することができるという効果を奏する。
【図面の簡単な説明】
【００１１】
【図１】本発明の第１実施形態に係る情報処理装置の概略外観図である。
【図２】本発明の第１実施形態に係る情報処理装置のハードウェア構成を概略的に示した図である。
【図３】本発明の第１実施形態に係る情報処理装置が備える機能の一例を示した機能ブロック図である。
【図４】本発明の第１実施形態に係る興味度情報の一例を示した図である。
【図５】本発明の第１実施形態に係る表示パラメータ情報の一例を示した図である。
【図６】本発明の第１実施形態に係る情報処理装置において、コンテンツの数Ｎが４に設定された場合の表示切替例を示した図である。
【図７】本発明の第１実施形態に係る広告提供方法の処理手順を示したフローチャートである。
【図８】本発明の第１実施形態に係る情報処理装置において、２つの広告を表示枠に表示させる場合の表示切替例を示した図である。
【図９】本発明の第２実施形態に係る表示パラメータ情報の一例を示した図である。
【図１０】本発明の第２実施形態に係る情報処理装置において、表示時間が３０秒に設定された場合の表示切替例を示した図である。
【図１１】本発明の第２実施形態に係る情報処理装置において、広告１の表示時間が３０秒に、広告２の表示時間が８秒に設定された場合の表示切替例を示した図である。
【発明を実施するための形態】
【００１２】
〔第１実施形態〕
以下に、本発明の第１実施形態に係る電子機器及び広告表示方法並びに広告表示プログラムについて図面を参照して説明する。本実施形態では、電子機器の一例としてタブレット端末、携帯電話機、ノートＰＣ等の情報処理装置を例に挙げて説明するが、電子機器は情報処理装置に限定されない。
【００１３】
図１は本実施形態に係る情報処理装置１０の外観を概略的に示した図である。図１に示すように、情報処理装置１０は、液晶表示装置等からなる表示部１７と、入力部１６とを備えている。本実施形態に係る情報処理装置１０は、表示部１７に設けられた共有の表示枠１７ａに、広告コンテンツ及び広告以外の複数のコンテンツを切り替えて順次表示させる機能を有している。表示枠１７ａは、表示部１７が備える表示画面の一部に設けられていても良いし、全画面領域を対象として設けられていてもよい。表示枠１７ａの大きさは、ユーザが任意に設定及び変更できるように構成されている。
【００１４】
図２は、本実施形態に係る情報処理装置１０のハードウェア構成を概略的に示した図である。図２に示すように、情報処理装置１０は、例えば、ＣＰＵ１１と、ＣＰＵ１１が実行するプログラム等を記憶するためのＲＯＭ（Ｒｅａｄ  Ｏｎｌｙ  Ｍｅｍｏｒｙ）１２と、各プログラム実行時のワーク領域として機能するＲＡＭ（Ｒａｎｄｏｍ  Ａｃｃｅｓｓ  Ｍｅｍｏｒｙ）１３と、大容量記憶装置としてのハードディスクドライブ（ＨＤＤ）１４と、ネットワークに接続するための通信インターフェース１５と、キーボードやマウス等からなる入力部１６と、表示部１７とを備えている。これら各部は、バス１８を介して接続されている。
上記ＲＯＭ１２には、各種プログラムが格納されており、ＣＰＵ１１がＲＯＭ１２からＲＡＭ１３にプログラムを読み出し、実行することにより種々の機能を実現させる。なお、ＣＰＵ１１が実行するプログラム等を記憶するための記憶媒体は、ＲＯＭ１２に限られず、磁気ディスク、光磁気ディスク、半導体メモリ等で構成される他の記録媒体であってもよい。
【００１５】
図３は、情報処理装置１０が備える機能の一例を示した機能ブロック図である。図３に示すように、情報処理装置１０は、コンテンツ記憶部２１、コンテンツ取得部２２、表示切替部２３、興味度演算部２４、及び表示パラメータ設定部２５を備えている。
コンテンツ記憶部２１には、表示枠１７ａに表示させる複数のコンテンツが格納されている。例えば、表示枠１７ａに表示可能なコンテンツの種類は予め設定されており、これらの中から表示枠１７ａに表示させるコンテンツの種類をユーザが適宜選択できるような構成とされている。表示枠１７ａに表示可能なコンテンツの種類として、例えば、「ニュース」、「天気」、「株価」、「カレンダー」、「時刻」等が挙げられる。本実施形態では、表示枠１７ａに表示させる広告以外のコンテンツとして「ニュース」、「天気」、「カレンダー」がユーザによって選択された場合を例示して説明する。なお、表示枠１７ａに表示させるコンテンツの種類や設定方法等については上記例に限定されない。
また、コンテンツ記憶部２１には、ユーザによって選択された各種コンテンツの他に、広告コンテンツが格納される。
【００１６】
コンテンツ取得部２２は、所定のタイミングで広告コンテンツ及び広告以外の複数のコンテンツを取得し、コンテンツ記憶部２１内のコンテンツを更新する。例えば、コンテンツ取得部２２は、所定のタイミングで、ニュースを配信するニュース配信サーバ、天気情報を配信する天気配信サーバ等にネットワークを介してアクセスし、ニュースコンテンツ及び天気コンテンツを取得する。また、コンテンツ取得部２２は、情報処理装置１０内またはクラウド上に記憶されているカレンダー情報を取得する。更に、コンテンツ取得部２２は、ネットワークを介して、広告配信サーバに接続し、広告配信サーバから広告コンテンツを取得する。
コンテンツ取得部２２は、このようにして取得したコンテンツをコンテンツ記憶部２１に格納し、各種コンテンツを更新する。なお、コンテンツの取得タイミングは、各コンテンツによって異ならせても良いし、同期させてもよい。
【００１７】
表示切替部２３は、表示部１７に設けられた表示枠１７ａに、コンテンツ記憶部２１に格納されている広告コンテンツ以外の複数のコンテンツを順次切り替えて表示させるとともに、後述する表示パラメータに応じた頻度で広告コンテンツを表示させる。
例えば、図３に示すように、広告以外の複数のコンテンツとして、ニュース、天気、カレンダーが格納されている場合、表示切替部２３は、ニュース、天気、カレンダーを順次切り替えて表示枠１７ａに表示させるとともに、後述する表示パラメータに応じた頻度で広告コンテンツを表示枠１７ａに表示させる。
なお、各コンテンツの表示時間は一定としてもよいし、ユーザの設定等に応じて一部のコンテンツの表示時間を他のコンテンツに比べて短くまたは長くしてもよい。
【００１８】
興味度演算部２４は、コンテンツ取得部２２によって新たな広告コンテンツが取得された場合、換言すると、コンテンツ記憶部２１に格納されている広告コンテンツが更新された場合に、最新の広告コンテンツに対するユーザの興味度を演算する。
例えば、興味度演算部２４は、図４に示すような興味度情報を有している。興味度情報は、「政治」、「経済」、「スポーツ」、「ファッション」、「旅行」等の各種カテゴリ毎にユーザの興味度が対応付けられている。
興味度は、ユーザ自らがこれらの各種カテゴリに対する興味度を設定するような構成とされていてもよいし、ユーザがアクセスしたインターネットの閲覧履歴や検索エンジンへの入力情報、ショッピングサイトでの購入履歴等に基づいて興味度を演算することとしてもよい。興味度演算部２４は、例えば、コンテンツ取得部２２によって取得された広告コンテンツのカテゴリを特定し、特定したカテゴリに対応する興味度を興味度情報から取得し、興味度を設定する。なお、興味度演算部２４による興味度の演算手法については上記例に限定されない。例えば、所定のアルゴリズムに基づいてその都度演算することとしてもよい。また、例えば、特開２０１４−２１５７９６号公報、特開２０１５−１７７５２５号公報、特開２０１５−１４６１３３号公報等に記載されている興味度の演算手法を適宜採用することとしてもよい。
【００１９】
表示パラメータ設定部２５は、興味度演算部２４によって設定（演算）された興味度に応じて広告コンテンツの表示に関するパラメータを設定する。例えば、表示パラメータとして、広告コンテンツを表示させてから次の広告コンテンツの表示までに表示枠１７ａに表示させる広告以外のコンテンツの数Ｎを採用する。表示パラメータ設定部２５は、例えば、興味度が低いほど、コンテンツの数Ｎを大きな値とする。
【００２０】
例えば、表示パラメータ設定部２５は、図５に示すように、興味度とコンテンツの数Ｎとが関連付けられた表示パラメータ情報を有しており、この表示パラメータ情報を用いて興味度演算部２４によって演算された興味度に対応するコンテンツの数Ｎを取得する。図５に示すように、表示パラメータ情報は、興味度が低いほどコンテンツの数Ｎが大きな値をとるように設定されている。なお、図５に示した表示パラメータ情報では、コンテンツの数Ｎの最小値を「１」、最大値を「６」としているが、これらは例示であり、広告効果、広告を表示させることによるユーザの煩わしさ等を考慮して適宜決定すればよい。
【００２１】
表示パラメータ設定部２５は、広告コンテンツに対する表示パラメータを設定すると、設定した表示パラメータの情報を表示切替部２３に出力する。これにより、次に、広告コンテンツが更新されるまで、表示切替部２３はこの最新の表示パラメータ、すなわち、コンテンツの数Ｎに従って表示枠１７ａにおけるコンテンツの切り替え制御を行う。
例えば、コンテンツの数Ｎが「４」に設定された場合、表示切替部２３は、図６に示すように、４つの広告以外のコンテンツ「ニュース」、「天気」、「カレンダー」、「ニュース」を表示させ、次に「広告」を表示させる。そして、この切替処理が繰り返し行われることにより、表示枠１７ａに４つのコンテンツが順次切り替えて表示される度に「広告コンテンツ」が表示されることとなる。
【００２２】
次に、本実施形態に係る情報処理装置１０によって実行される広告提供方法について図７を参照して説明する。図７は、本発明の第１実施形態に係る広告提供方法の処理手順を示したフローチャートである。なお、前提条件として、コンテンツ記憶部２１には、コンテンツ取得部２２によって取得された広告コンテンツ及び広告以外の複数のコンテンツ、本実施形態では、「ニュース」、「天気」、「カレンダー」のコンテンツが格納されているものとする。なお、以降に説明する各種処理は、ＲＯＭ１２に格納された広告提供プログラムをＣＰＵ１１がＲＡＭ１３に読み出して実行することにより実現される。
【００２３】
まず、コンテンツ記憶部２１に格納されている広告コンテンツが更新されたか否かを判定する（ステップＳＡ１）。この結果、広告コンテンツが更新された場合には（ステップＳＡ１において「ＹＥＳ」）、最新の広告コンテンツに対するユーザの興味度が興味度演算部２４によって演算され（ステップＳＡ２）、演算された興味度に応じた表示パラメータが表示パラメータ設定部２５によって設定される（ステップＳＡ３）。このようにして、最新の広告コンテンツに対する表示パラメータが設定されると、表示切替部２３は、設定された表示パラメータに基づいて、表示部１７の表示枠１７ａに表示させる広告コンテンツの表示頻度を制御する（ステップＳＡ４）。これにより、例えば、表示パラメータ設定部２５によって設定されたコンテンツの数がＮ＝４であった場合、表示切替部２３は、図６に示すように、広告コンテンツと広告コンテンツとの間に、広告コンテンツ以外のコンテンツが４つずつ表示されるように表示枠１７ａへのコンテンツ表示を制御する。
【００２４】
そして、コンテンツ取得部２２によって新たな広告コンテンツが取得されない限り、換言すると、コンテンツ記憶部２１に格納されている広告コンテンツが更新されない限り（ステップＳＡ１において「ＮＯ」）、表示パラメータ設定部２５によって設定された表示パラメータ（コンテンツの数Ｎ）は保持され、この表示パラメータに応じた表示頻度で広告コンテンツが表示枠１７ａに表示されることとなる（ステップＳＡ４）。
【００２５】
以上説明したように、本発明の第１実施形態に係る情報処理装置１０及び広告表示方法並びに広告表示プログラムによれば、表示枠１７ａに広告コンテンツ及び広告以外の複数のコンテンツを切り替えて表示させる場合において、広告コンテンツに対するユーザの興味度に応じて広告コンテンツを表示させる頻度を調整するので、ユーザの興味度が比較的低い広告コンテンツの場合には、その広告コンテンツの表示頻度を低下させ、ユーザの興味度が比較的高い広告コンテンツの場合にはその広告コンテンツの表示頻度を比較的増加させることができる。このように、ユーザの興味度に応じて広告の表示頻度を変更するので、一定の広告効果を維持しながら、広告が表示されることに対するユーザの煩わしさを軽減することが可能となる。
【００２６】
なお、本実施形態では、１つの広告コンテンツを表示枠１７ａに表示させる場合について説明したが、異なる複数の広告コンテンツを順番に表示枠１７ａに表示させることとしてもよい。この場合、興味度演算部２４は、広告コンテンツ毎にユーザの興味度を演算し、表示パラメータ設定部２５は、広告コンテンツ毎に興味度に応じた表示パラメータ、すなわち、コンテンツの数Ｎを設定する。そして、表示切替部２３は、設定された各表示パラメータに従ってそれぞれの広告を表示枠１７ａに順番に表示させる。具体的には、表示切替部２３は、複数の広告コンテンツの中から次に表示する広告コンテンツを対象広告として順次選択し、対象広告の直前に表示された広告コンテンツから対象広告の表示パラメータに応じた数の広告以外のコンテンツが表示されたときに、対象広告を表示させる。
【００２７】
例えば、広告コンテンツ１（以下「広告１」という。）と広告コンテンツ２（以下「広告２」という。）とが存在する場合であって、広告１のコンテンツの数Ｎ１が「２」、広告２のコンテンツの数Ｎ２が「５」の場合には、図８に示すように表示枠１７ａのコンテンツが切替えられる。
すなわち、表示切替部２３は、まず、広告１、２の中から広告１を対象広告として選択し、この広告１のコンテンツの数（Ｎ１＝２）に従って広告１を表示させる。これにより、２つのコンテンツ「ニュース」、「天気」が表示された後に「広告１」が表示される。続いて、表示切替部２３は、「広告２」を対象広告として選択し、直前に表示させた「広告１」から５つ（Ｎ２＝５）のコンテンツ「カレンダー」、「ニュース」、「天気」、「カレンダー」、「ニュース」を表示させた後に、「広告２」を表示させる。そして、この処理を繰り返し実行することで、「広告２」が表示されてから２つのコンテンツ「天気」、「カレンダー」が表示された後に、「広告１」が再び表示されることとなる。
【００２８】
このように、表示枠１７ａに表示させる広告は１つに限られず、異なる複数の広告を表示することとしてもよく、また、異なる複数の広告を表示する場合には、それぞれの広告を対応する表示パラメータに応じた頻度で表示させればよい。
また、上記のように異なる複数の広告コンテンツを順次表示させる場合において、興味度演算部２４は、広告コンテンツが属するカテゴリ毎に興味度を演算することとし、表示パラメータ設定部２５は、広告コンテンツが属するカテゴリ毎に表示パラメータを設定することとしてもよい。この場合、表示切替部は、対象広告として選択した広告コンテンツが属するカテゴリの表示パラメータに応じた頻度で対象広告を表示枠１７ａに表示させる。
【００２９】
〔第２実施形態〕
上述した第１実施形態では、表示パラメータとして、広告と広告との間に挿入するコンテンツの数Ｎを用いていたが、本発明の第２実施形態では、表示パラメータとして、広告コンテンツを表示させる表示時間を採用し、ユーザの興味度に応じて広告コンテンツの表示時間を変更する。以下、本発明の第２実施形態に係る電子機器及び広告表示方法並びに広告表示プログラムについて、上述した第１実施形態と共通する点については説明を省略し、異なる点について主に説明する。
【００３０】
本実施形態において、表示パラメータ設定部は、興味度演算部によって演算された興味度に応じて広告コンテンツの表示時間Ｔを設定する。具体的には、表示パラメータ設定部は、図９に示すように、興味度と表示時間Ｔとが関連付けられた表示パラメータ情報を有しており、この表示パラメータ情報を用いて興味度に対応する表示時間Ｔを設定する。ここで、表示時間Ｔは興味度が高いほど表示時間が長くなるように設定されている。なお、興味度に対する表示時間Ｔは、図９に示すように連続的に変化するように設定されていてもよいし、離散的に変化するように設定されていてもよい。
【００３１】
図１０に表示時間Ｔが８秒に設定された場合の表示切替例を示す。図１０に示すように、表示パラメータとして表示時間Ｔを採用する場合には、例えば、コンテンツの表示順は不変となる。例えば、コンテンツは、予め設定された順序、例えば、「ニュース」、「天気」、「カレンダー」、「広告」の順で順次切り替えられ、広告コンテンツの表示時間が興味度に応じて設定された表示時間Ｔに調整されることとなる。なお、広告コンテンツ以外のコンテンツについては、予め設定されている表示時間で順次切り替えられてもよいし、ユーザが適宜設定変更できるような構成とされていてもよい。
【００３２】
なお、本実施形態においても、表示させる広告コンテンツを複数有していても良い。この場合、上述した第１実施形態と同様に、広告コンテンツ毎に表示パラメータ（表示時間Ｔ）を設定し、設定した表示時間Ｔに基づいて、各広告の表示時間を調整すればよい。例えば、図１１に示すように、「広告１」の表示時間が３０秒に、「広告２」の表示時間が８秒に設定された場合、「ニュース」、「天気」、「カレンダー」、「広告１」、「ニュース」、「天気」、「カレンダー」、「広告２」の表示順序は不変とし、「広告１」、「広告２」の表示時間をそれぞれ３０秒と８秒とする。
また、表示時間の下限値を設定しておくことで、一定の広告効果を維持することが可能となる。
なお、この場合においても、興味度演算部及び表示パラメータ設定部は、広告コンテンツが属するカテゴリ毎に興味度や表示パラメータを演算することとしてもよい。表示切替部は、対象広告として選択した広告コンテンツが属するカテゴリの表示パラメータに応じた表示時間で対象広告を表示枠１７ａに表示させる。
【００３３】
このように、本実施形態に係る情報処理装置及び広告表示方法並びに広告表示プログラムによれば、広告に対するユーザの興味度に応じて広告の表示時間Ｔを調整するので、例えば、ユーザの興味度が比較的低い広告コンテンツの場合には、その広告コンテンツの表示時間を比較的短くし、ユーザの興味度が比較的高い広告コンテンツの場合にはその広告コンテンツの表示時間を比較的長くすることができる。このように、ユーザの興味度に応じて広告の表示時間を変更するので、一定の広告効果を維持しながら、広告が表示されることに対するユーザの煩わしさを軽減することが可能となる。
【００３４】
なお、第２実施形態では広告の表示時間Ｔを規定していたが、これに代えて、広告以外のコンテンツの表示時間に対する広告の表示時間の割合を示す値としてもよい。この場合、表示パラメータ設定部は、興味度が低いほど、割合を小さな値に設定する。
【００３５】
以上、本発明について各実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
【符号の説明】
【００３６】
１０    ：情報処理装置
１７    ：表示部
１７ａ  ：表示枠
２１    ：コンテンツ記憶部
２２    ：コンテンツ取得部
２３    ：表示切替部
２４    ：興味度演算部
２５    ：表示パラメータ設定部
【図１】
2019040565.tif 000003
【図２】
2019040565.tif 000004
【図３】
2019040565.tif 000005
【図４】
2019040565.tif 000006
【図５】
2019040565.tif 000007
【図６】
2019040565.tif 000008
【図７】
2019040565.tif 000009
【図８】
2019040565.tif 000010
【図９】
2019040565.tif 000011
【図１０】
2019040565.tif 000012
【図１１】
2019040565.tif 000013